【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）による、ロングタームエボリューション（ＬＴＥ）規格によるワイヤレス通信のための方法であって、ここにおいて、送信はサブフレームを備え、各サブフレームは、第１および第２のスロットを備え、前記方法は、
基地局に、前記ＵＥが１つまたは複数の高速アップリンクチャネルを通して低レイテンシ通信をサポートすることが可能であるという指示を与えることと、ここにおいて、前記１つまたは複数の高速アップリンクチャネルが、１つのタイムスロットの持続時間に対応する前記低レイテンシ通信のための低減された送信時間間隔（ＴＴＩ）を可能にする、
前記低減されたＴＴＩに従って、前記１つまたは複数の高速アップリンクチャネルを使用して、前記基地局との前記低レイテンシ通信を行うことと
を備える、方法。
【請求項２】
レガシーＴＴＩに従って１つまたは複数のプロシージャを行うこと、ここにおいて、前記１つまたは複数のプロシージャが、セル探索、システム情報ブロック（ＳＩＢ）検出、ランダムアクセスチャネル（ＲＡＣＨ）プロシージャ、ページ検出、またはアイドルモードプロシージャのうちの少なくとも１つを備える、
をさらに備える、請求項１に記載の方法。
【請求項３】
前記低レイテンシ通信を行うために、前記基地局から、前記与えられた指示に応答してパラメータを受信することをさらに備え、ここにおいて、前記パラメータが、前記１つまたは複数の高速アップリンクチャネルのための時間リソース、前記１つまたは複数の高速アップリンクチャネルのための周波数リソース、または前記１つまたは複数の高速アップリンクチャネルを使用してダウンリンク送信に確認応答することにおいて使用するためのリソースへの前記ダウンリンク送信のマッピングのうちの少なくとも１つを示す、請求項１に記載の方法。
【請求項４】
レガシーＴＴＩの持続時間がサブフレームの持続時間に対応し、ここにおいて、前記サブフレームが２つのタイムスロットを含む、請求項１に記載の方法。
【請求項５】
アップリンク制御情報を送信するための高速物理アップリンク制御チャネル（ＱＰＵＣＣＨ）フォーマットの第１のセットが、前記２つのタイムスロットのうちの第１のタイムスロット中でサポートされ、
ＱＰＵＣＣＨフォーマットの第２のセットが、前記２つのタイムスロットのうちの第２のタイムスロット中でサポートされ、ここにおいて、前記第２のセットが前記第１のセットの低減されたサブセットであり、ここにおいて、前記第１のセットと前記第２のセットとの前記ＱＰＵＣＣＨフォーマットのうちの少なくともいくつかが、レガシー物理アップリンク制御チャネル（ＰＵＣＣＨ）フォーマットに基づく、請求項４に記載の方法。
【請求項６】
前記ＵＥが、前記２つのタイムスロットのうちの第１のタイムスロット中で高速物理アップリンク制御チャネル（ＱＰＵＣＣＨ）を送信するためにリソースブロック（ＲＢ）の第１のセットを割り振られ、
前記ＵＥが、前記２つのタイムスロットのうちの第２のタイムスロット中でＱＰＵＣＣＨを送信するために、ＲＢの前記第１のセットとは異なるＲＢの第２のセットを割り振られる、請求項４に記載の方法。
【請求項７】
前記低レイテンシ通信を行うことは、
前記タイムスロットのうちの１つ中で第１の高速物理アップリンク共有チャネル（ＱＰＵＳＣＨ）においてデータを送信することを備え、
前記低減されたＴＴＩに従って前記基地局から送信された高速物理ダウンリンク制御チャネル（ＱＰＤＣＣＨ）において、前記第１のＱＰＵＳＣＨにおいて送信された前記データが前記基地局によって正常に受信されたかどうかの指示を受信することをさらに備える、請求項４に記載の方法。
【請求項８】
前記低減されたＴＴＩに従って前記基地局から送信された高速物理ダウンリンク共有チャネル（ＱＰＤＳＣＨ）においてデータを受信することをさらに備える、請求項４に記載の方法。
【請求項９】
前記低レイテンシ通信を行うことは、
前記ＱＰＤＳＣＨ送信が高速物理アップリンク制御チャネル（ＱＰＵＣＣＨ）において正常に受信されたかどうかの指示を送信することを備える、請求項８に記載の方法。
【請求項１０】
前記ＱＰＵＣＣＨが、前記低減されたＴＴＩに従って前記ＱＰＤＳＣＨ送信からいくつかのサブフレーム後のタイムスロット中で送信される、請求項９に記載の方法。
【請求項１１】
前記低レイテンシ通信を行うことが、
サウンディング基準信号（ＳＲＳ）と多重化された前記２つのタイムスロットのうちの１つ中で、高速物理アップリンク共有チャネル（ＱＰＵＳＣＨ）または高速物理アップリンク制御チャネル（ＱＰＵＣＣＨ）のうちの少なくとも１つを送信することを備える、請求項４に記載の方法。
【請求項１２】
ユーザ機器（ＵＥ）による、ロングタームエボリューション（ＬＴＥ）規格によるワイヤレス通信のための装置であって、ここにおいて、送信はサブフレームを備え、各サブフレームは、第１および第２のスロットを備え、前記装置は、
基地局に、前記ＵＥが１つまたは複数の高速アップリンクチャネルを通して低レイテンシ通信をサポートすることが可能であるという指示を与えるための手段と、ここにおいて、前記１つまたは複数の高速アップリンクチャネルが、１つのタイムスロットの持続時間に対応する前記低レイテンシ通信のための低減された送信時間間隔（ＴＴＩ）を可能にする、
前記低減されたＴＴＩに従って、前記１つまたは複数の高速アップリンクチャネルを使用して、前記基地局との前記低レイテンシ通信を行うための手段と
を備える、装置。
【請求項１３】
基地局（ＢＳ）による、ロングタームエボリューション（ＬＴＥ）規格によるワイヤレス通信のための方法であって、ここにおいて、送信はサブフレームを備え、各サブフレームは、第１および第２のスロットを備え、前記方法は、
ユーザ機器（ＵＥ）から、前記ＵＥが１つまたは複数の高速アップリンクチャネルを通して低レイテンシ通信をサポートすることが可能であるという指示を受信することと、ここにおいて、前記１つまたは複数の高速アップリンクチャネルが、１つのタイムスロットの持続時間に対応する前記低レイテンシ通信のための低減された送信時間間隔（ＴＴＩ）を可能にする、
前記低減されたＴＴＩに従って、前記１つまたは複数の高速アップリンクチャネルを使用して、前記ＵＥとの前記低レイテンシ通信を行うことと
を備える、方法。
【請求項１４】
基地局（ＢＳ）による、ロングタームエボリューション（ＬＴＥ）規格によるワイヤレス通信のための装置であって、ここにおいて、送信はサブフレームを備え、各サブフレームは、第１および第２のスロットを備え、前記装置は、
ユーザ機器（ＵＥ）から、前記ＵＥが１つまたは複数の高速アップリンクチャネルを通して低レイテンシ通信をサポートすることが可能であるという指示を受信するための手段と、ここにおいて、前記１つまたは複数の高速アップリンクチャネルが、１つのタイムスロットの持続時間に対応する前記低レイテンシ通信のための低減された送信時間間隔（ＴＴＩ）を可能にする、
前記低減されたＴＴＩに従って、前記１つまたは複数の高速アップリンクチャネルを使用して、前記ＵＥとの前記低レイテンシ通信を行うための手段と
を備える、装置。
【請求項１５】
請求項１ないし１１または１３に記載の方法を実行するための命令を含む、ワイヤレス通信のための非一時的なコンピュータ可読媒体。
【手続補正２】
【補正対象書類名】明細書
【補正対象項目名】０１６０
【補正方法】変更
【補正の内容】
【０１６０】
[0175]  本開示についての以上の説明は、いかなる当業者も本開示を作成または使用できるように与えたものである。本開示への様々な変更は当業者には容易に明らかになり、本明細書で定義した一般原理は、本開示の趣旨または範囲から逸脱することなく他の変形形態に適用され得る。従って、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］  ユーザ機器（ＵＥ）によるワイヤレス通信のための方法であって、
基地局に、前記ＵＥが１つまたは複数の高速アップリンクチャネルを通して低レイテンシ通信をサポートすることが可能であるという指示を与えることと、ここにおいて、前記１つまたは複数の高速アップリンクチャネルが、レガシー送信時間間隔（ＴＴＩ）よりもより短い持続時間を有する、前記低レイテンシ通信のための低減されたＴＴＩを可能にする、
前記低減されたＴＴＩに従って、前記１つまたは複数の高速アップリンクチャネルを使用して、前記基地局との前記低レイテンシ通信を行うこととを備える、方法。
［Ｃ２］  前記レガシーＴＴＩに従って１つまたは複数のプロシージャを行うこと、ここにおいて、前記１つまたは複数のプロシージャが、セル探索、システム情報ブロック（ＳＩＢ）検出、ランダムアクセスチャネル（ＲＡＣＨ）プロシージャ、ページ検出、またはアイドルモードプロシージャのうちの少なくとも１つを備える、をさらに備える、Ｃ１に記載の方法。
［Ｃ３］  前記低レイテンシ通信を行うために、前記基地局から、前記与えられた指示に応答してパラメータを受信することをさらに備え、ここにおいて、前記パラメータが、前記１つまたは複数の高速アップリンクチャネルのための時間リソース、前記１つまたは複数の高速アップリンクチャネルのための周波数リソース、または前記１つまたは複数の高速アップリンクチャネルを使用してダウンリンク送信に確認応答することにおいて使用するためのリソースへの前記ダウンリンク送信のマッピングのうちの少なくとも１つを示す、Ｃ１に記載の方法。
［Ｃ４］  前記レガシーＴＴＩの持続時間がサブフレームの持続時間に対応し、ここにおいて、前記サブフレームが２つのタイムスロットを含む、
前記低減されたＴＴＩの前記より短い持続時間が前記タイムスロットの持続時間に対応する、Ｃ１に記載の方法。
［Ｃ５］  アップリンク制御情報を送信するための高速物理アップリンク制御チャネル（ＱＰＵＣＣＨ）フォーマットの第１のセットが、前記２つのタイムスロットのうちの第１のタイムスロット中でサポートされ、
ＱＰＵＣＣＨフォーマットの第２のセットが、前記２つのタイムスロットのうちの第２のタイムスロット中でサポートされ、ここにおいて、前記第２のセットが前記第１のセットの低減されたサブセットであり、ここにおいて、前記第１のセットと前記第２のセットとの前記ＱＰＵＣＣＨフォーマットのうちの少なくともいくつかが、レガシー物理アップリンク制御チャネル（ＰＵＣＣＨ）フォーマットに基づく、Ｃ４に記載の方法。
［Ｃ６］  前記ＵＥが、前記２つのタイムスロットのうちの第１のタイムスロット中で高速物理アップリンク制御チャネル（ＱＰＵＣＣＨ）を送信するためにリソースブロック（ＲＢ）の第１のセットを割り振られ、
前記ＵＥが、前記２つのタイムスロットのうちの第２のタイムスロット中でＱＰＵＣＣＨを送信するために、ＲＢの前記第１のセットとは異なるＲＢの第２のセットを割り振られる、Ｃ４に記載の方法。
［Ｃ７］  前記低レイテンシ通信を行うことは、
前記タイムスロットのうちの１つ中で第１の高速物理アップリンク共有チャネル（ＱＰＵＳＣＨ）においてデータを送信することを備え、
前記低減されたＴＴＩに従って前記基地局から送信された高速物理ダウンリンク制御チャネル（ＱＰＤＣＣＨ）において、前記第１のＱＰＵＳＣＨにおいて送信された前記データが前記基地局によって正常に受信されたかどうかの指示を受信することをさらに備える、Ｃ４に記載の方法。
［Ｃ８］  前記低減されたＴＴＩに従って前記基地局から送信された高速物理ダウンリンク共有チャネル（ＱＰＤＳＣＨ）においてデータを受信することをさらに備える、Ｃ４に記載の方法。
［Ｃ９］  前記低レイテンシ通信を行うことは、
前記ＱＰＤＳＣＨ送信が高速物理アップリンク制御チャネル（ＱＰＵＣＣＨ）において正常に受信されたかどうかの指示を送信することを備える、Ｃ８に記載の方法。
［Ｃ１０］  前記ＱＰＵＣＣＨが、前記低減されたＴＴＩに従って前記ＱＰＤＳＣＨ送信からいくつかのサブフレーム後のタイムスロット中で送信される、Ｃ９に記載の方法。
［Ｃ１１］  前記低レイテンシ通信を行うことが、
サウンディング基準信号（ＳＲＳ）と多重化された前記２つのタイムスロットのうちの１つ中で、高速物理アップリンク共有チャネル（ＱＰＵＳＣＨ）または高速物理アップリンク制御チャネル（ＱＰＵＣＣＨ）のうちの少なくとも１つを送信することを備える、Ｃ４に記載の方法。
［Ｃ１２］  前記低レイテンシ通信を行うことが、
前記２つのタイムスロットのうちの１つ中で高速物理アップリンク共有チャネル（ＱＰＵＳＣＨ）においてチャネル品質インジケータ（ＣＱＩ）を送信することを備える、Ｃ４に記載の方法。
［Ｃ１３］  少なくとも１つのプロセッサに結合されたメモリを備える、ユーザ機器（ＵＥ）によるワイヤレス通信のための装置であって、ここにおいて、前記少なくとも１つのプロセッサは、
基地局に、前記ＵＥが１つまたは複数の高速アップリンクチャネルを通して低レイテンシ通信をサポートすることが可能であるという指示を与えることと、ここにおいて、前記１つまたは複数の高速アップリンクチャネルが、レガシー送信時間間隔（ＴＴＩ）よりもより短い持続時間を有する、前記低レイテンシ通信のための低減されたＴＴＩを可能にする、
前記低減されたＴＴＩに従って、前記１つまたは複数の高速アップリンクチャネルを使用して、前記基地局との前記低レイテンシ通信を行うこととをするように構成される、装置。
［Ｃ１４］  前記少なくとも１つのプロセッサは、
前記レガシーＴＴＩに従って１つまたは複数のプロシージャを行うこと、ここにおいて、前記１つまたは複数のプロシージャが、セル探索、システム情報ブロック（ＳＩＢ）検出、ランダムアクセスチャネル（ＲＡＣＨ）プロシージャ、ページ検出、またはアイドルモードプロシージャのうちの少なくとも１つを備える、を行うようにさらに構成される、Ｃ１３に記載の装置。
［Ｃ１５］  前記少なくとも１つのプロセッサは、
前記低レイテンシ通信を行うために、前記基地局から、前記与えられた指示に応答してパラメータを受信すること、ここにおいて、前記パラメータが、前記１つまたは複数の高速アップリンクチャネルのための時間リソース、前記１つまたは複数の高速アップリンクチャネルのための周波数リソース、または前記１つまたは複数の高速アップリンクチャネルを使用してダウンリンク送信に確認応答することにおいて使用するためのリソースへの前記ダウンリンク送信のマッピングのうちの少なくとも１つを示す、を行うようにさらに構成される、Ｃ１３に記載の装置。
［Ｃ１６］  前記レガシーＴＴＩの持続時間がサブフレームの持続時間に対応し、ここにおいて、前記サブフレームが２つのタイムスロットを含む、
前記低減されたＴＴＩの前記より短い持続時間が前記タイムスロットの持続時間に対応する、Ｃ１３に記載の装置。
［Ｃ１７］  アップリンク制御情報を送信するための高速物理アップリンク制御チャネル（ＱＰＵＣＣＨ）フォーマットの第１のセットが、前記２つのタイムスロットのうちの第１のタイムスロット中でサポートされ、
ＱＰＵＣＣＨフォーマットの第２のセットが、前記２つのタイムスロットのうちの第２のタイムスロット中でサポートされ、ここにおいて、前記第２のセットが前記第１のセットの低減されたサブセットであり、ここにおいて、前記第１のセットと前記第２のセットとの前記ＱＰＵＣＣＨフォーマットのうちの少なくともいくつかが、レガシー物理アップリンク制御チャネル（ＰＵＣＣＨ）フォーマットに基づく、Ｃ１６に記載の装置。
［Ｃ１８］  前記ＵＥが、前記２つのタイムスロットのうちの第１のタイムスロット中で高速物理アップリンク制御チャネル（ＱＰＵＣＣＨ）を送信するためにリソースブロック（ＲＢ）の第１のセットを割り振られ、
前記ＵＥが、前記２つのタイムスロットのうちの第２のタイムスロット中でＱＰＵＣＣＨを送信するために、ＲＢの前記第１のセットとは異なるＲＢの第２のセットを割り振られる、Ｃ１６に記載の装置。
［Ｃ１９］  前記少なくとも１つのプロセッサは、
前記タイムスロットのうちの１つ中で第１の高速物理アップリンク共有チャネル（ＱＰＵＳＣＨ）においてデータを送信することによって前記低レイテンシ通信を行うように構成され、
ここにおいて、前記少なくとも１つのプロセッサは、
前記低減されたＴＴＩに従って前記基地局から送信された高速物理ダウンリンク制御チャネル（ＱＰＤＣＣＨ）において、前記第１のＱＰＵＳＣＨにおいて送信された前記データが前記基地局によって正常に受信されたかどうかの指示を受信するようにさらに構成される、Ｃ１６に記載の装置。
［Ｃ２０］  前記少なくとも１つのプロセッサが、前記低減されたＴＴＩに従って前記基地局から送信された高速物理ダウンリンク共有チャネル（ＱＰＤＳＣＨ）においてデータを受信するようにさらに構成される、Ｃ１６に記載の装置。
［Ｃ２１］  前記少なくとも１つのプロセッサは、
前記ＱＰＤＳＣＨ送信が高速物理アップリンク制御チャネル（ＱＰＵＣＣＨ）において正常に受信されたかどうかの指示を送信することによって前記低レイテンシ通信を行うように構成される、Ｃ２０に記載の装置。
［Ｃ２２］  前記ＱＰＵＣＣＨが、前記低減されたＴＴＩに従って前記ＱＰＤＳＣＨ送信からいくつかのサブフレーム後のタイムスロット中で送信される、Ｃ２１に記載の装置。
［Ｃ２３］  前記少なくとも１つのプロセッサが、
サウンディング基準信号（ＳＲＳ）と多重化された前記２つのタイムスロットのうちの１つ中で、高速物理アップリンク共有チャネル（ＱＰＵＳＣＨ）または高速物理アップリンク制御チャネル（ＱＰＵＣＣＨ）のうちの少なくとも１つを送信することによって前記低レイテンシ通信を行うように構成される、Ｃ１６に記載の装置。
［Ｃ２４］  前記少なくとも１つのプロセッサが、
前記２つのタイムスロットのうちの１つ中で高速物理アップリンク共有チャネル（ＱＰＵＳＣＨ）においてチャネル品質インジケータ（ＣＱＩ）を送信することによって前記低レイテンシ通信を行うように構成される、Ｃ１６に記載の装置。
［Ｃ２５］  ユーザ機器（ＵＥ）によるワイヤレス通信のための方法であって、
２つのスロットを備えるダウンリンクサブフレーム中で、基地局（ＢＳ）から少なくとも１つのタイプの高度物理ダウンリンク制御チャネル（ａＰＤＣＣＨ）を受信することと、
セル固有基準信号（ＣＲＳ）に基づいて前記ａＰＤＣＣＨを復調することとを備える、方法。
［Ｃ２６］  前記ａＰＤＣＣＨが、いくつかのタイプのＵＥに送信するとき、レガシー制御チャネルにおいて復調基準信号（ＤＭＲＳ）のために定義されたリソースを占有する、Ｃ２５に記載の方法。
［Ｃ２７］  前記ａＰＤＣＣＨが、前記ダウンリンクサブフレームの前記２つのスロットにわたる制御チャネル領域において送信され、
前記ダウンリンクサブフレームがまた、マシンタイプ通信（ＭＴＣ）データトラフィックを搬送するために前記ダウンリンクサブフレームの前記２つのスロットにわたるデータチャネル領域を備え、
前記ａＰＤＣＣＨが、シングルスロット送信時間間隔（ＴＴＩ）を有する高速物理ダウンリンク制御チャネル（ＱＰＤＣＣＨ）を備える、Ｃ２５に記載の方法。
［Ｃ２８］  少なくとも１つのプロセッサに結合されたメモリを備える、ユーザ機器（ＵＥ）によるワイヤレス通信のための装置であって、ここにおいて、前記少なくとも１つのプロセッサが、
２つのスロットを備えるダウンリンクサブフレーム中で、基地局（ＢＳ）から少なくとも１つのタイプの高度物理ダウンリンク制御チャネル（ａＰＤＣＣＨ）を受信することと、
セル固有基準信号（ＣＲＳ）に基づいて前記ａＰＤＣＣＨを復調することとを行うように構成される、装置。
［Ｃ２９］  前記ａＰＤＣＣＨが、いくつかのタイプのＵＥに送信するとき、レガシー制御チャネルにおいて復調基準信号（ＤＭＲＳ）のために定義されたリソースを占有する、Ｃ２８に記載の装置。
［Ｃ３０］  前記ａＰＤＣＣＨが、前記ダウンリンクサブフレームの前記２つのスロットにわたる制御チャネル領域において送信され、
前記ダウンリンクサブフレームがまた、マシンタイプ通信（ＭＴＣ）データトラフィックを搬送するために前記ダウンリンクサブフレームの前記２つのスロットにわたるデータチャネル領域を備え、
前記ａＰＤＣＣＨが、シングルスロット送信時間間隔（ＴＴＩ）を有する高速物理ダウンリンク制御チャネル（ＱＰＤＣＣＨ）を備える、Ｃ２８に記載の装置。